(57)【特許請求の範囲】
【請求項１】
消防ホース（３）を折畳んで収納する収納部（２）を薄板材により左右の側板（２ａ）と底板（２ｂ）と背板（２ｃ）とからなり前面及び上面が開いた薄箱形に形成して、前後２列に折畳んだ消防ホース（３）を収納する容積を備えるとともに、街頭に既設の消防ホース格納箱（２１）に格納できるようにし、収納部（２）の前面に、左右の側板（２ａ）を前端にて内側に折り曲げた部分により左右一対のホース押え（４）を設け、収納部（２）の上面に、消防ホース（３）の折畳んだ両端折曲部を上方から押える左右２本の棒状の押え部材（１１，１２）を固定し、一方の押え部材（１２）を略Ｌ字形に形成し、この押え部材（１２）により収納部（２）の内側に消防ノズル（１３）の立掛け部（１４）を設け、収納部（２）の下部に車輪（５）を設け、収納部（２）の上部にハンドル（１０）を設けてなる消防ホースキャリヤ。
【請求項２】
消防ホース（３）を折畳んで収納する収納部（２）を薄板材により左右の側板（２ａ）と底板（２ｂ）と背板（２ｃ）とからなり前面が開いた薄箱形に形成して、前後２列に折畳んだ消防ホース（３）を収納する容積を備えるとともに、街頭に既設の消防ホース格納箱（２１）に格納できるようにし、収納部（２）の前面に、左右の側板（２ａ）を前端にて内側に折り曲げた部分により左右一対のホース押え（４）を設け、底板（２ｂ）の上面に、左右一対のホース押え（４）の間に延びて消防ホース（３）の折畳んだ下端を前方から係止する棒状の係止部材（８）を固着し、収納部（２）の下部に車輪（５）を設け、収納部（２）の上部にハンドル（１０）を設けてなる消防ホースキャリヤ。
【請求項３】
消防ホース（３）を折畳んで収納する収納部（２）を薄板材により左右の側板（２ａ）と底板（２ｂ）と背板（２ｃ）とからなり前面が開いた薄箱形に形成して、前後２列に折畳んだ消防ホース（３）を収納する容積を備えるとともに、街頭に既設の消防ホース格納箱（２１）に格納できるようにし、収納部（２）の前面に、左右の側板（２ａ）を前端にて内側に折り曲げた部分により左右一対のホース押え（４）を設け、収納部（２）の下部に車輪（５）を設け、収納部（２）の上部にハンドル（１０）を設け、車輪（６）の前方において、底板（２ｂ）の中央部下面に消防ホースキャリヤ（１）を起立姿勢に保持する脚片（７）を下方へ突設し、脚片（７）に弾性的に伸縮自在なゴムバンドからなる補助ホース押え（１５）を結着し、補助ホース押え（１５）の上端をハンドル（１０）に掛止し、この補助ホース押え（１５）により左右のホース押え（４）の間で消防ホース（３）を押えられるようにしてなる消防ホースキャリヤ。
【請求項４】
収納部（２）の左右の側板（２ａ）に二つの把手（１６）を設け、収納部（２）の背面に背負ベルト（２８）を設け、収納部（２）の左右両側面に二つの肩掛ベルト（２７）を設けた請求項１、２又は３記載の消防ホースキャリヤ。
【請求項５】
底板（２ｂ）の左右両端部に水抜き孔（９）を形成した請求項１、２、３又は４記載の消防ホースキャリヤ。
【発明の詳細な説明】
【０００１】
【発明の属する技術分野】
本発明は、消防ホースの格納、運搬及び延長機能を備えた消防ホースキャリヤに関するものである。
【０００２】
【従来の技術】
従来から、街頭等には、消防ホースを格納するために図１０に示すような消防ホース格納箱３１が設置されている。消防ホース格納箱３１の内部には、２〜３本の消防ホース３２がそれぞれ巻回状態で格納されるとともに、消防ノズル３３、地中栓開閉ハンドル３４、スタンドパイプ３５等の消火器具も格納されている。この消防ホース格納箱３１は、これらを格納するのに必要な最小限の容積をもつように、コンパクトに形成されている。
【０００３】
また、消防自動車には、消防ホースを運搬するために図１１に示すような消防ホースキャリヤ３７が積載されている。このキャリヤ３７は、鉄パイプ製のフレーム３８に収納袋３９と車輪４０とを取り付け、消防ホースを収納袋３９に折畳状態で収納して運搬できるようになっている。
【０００４】
【発明が解決しようとする課題】
ところが、図１０に示した格納方法によると、消火作業に際し、重い消防ホース３２を人が抱えて運搬する必要があった。また、消防ホースの延長に際しては、１本目の消防ホース３２を転がして延ばし、これに２本目の消防ホース３２を接続して延ばし、その先端に消防ノズル３３を取り付けるという手間のかかる作業が必要であった。
【０００５】
これに対し、図１１に示した消防ホースキャリヤ３７は、車輪４０により消防ホースを楽に運搬できる利点はあるが、フレーム３８が鉄パイプで大型に形成されているため、このキャリヤ３７を前述した既設の消防ホース格納箱３１に格納することはできず、用途が消防自動車に限定され、街頭常備用には不向きであった。
【０００６】
そこで、本発明の課題は、街頭等に既設の消防ホース格納箱に格納できるようコンパクトに形成でき、消防ホースを楽に運搬でき、かつ消防ホースを容易に延長できる新規な消防ホースキャリヤを提供することにある。
【０００７】
【課題を解決するための手段】
上記の課題を解決するために、本発明の消防ホースキャリヤは、次の［１］［２］［３］［４］又は［５］のとおり構成したものである。
［１］消防ホース（３）を折畳んで収納する収納部（２）を薄板材により左右の側板（２ａ）と底板（２ｂ）と背板（２ｃ）とからなり前面及び上面が開いた薄箱形に形成して、前後２列に折畳んだ消防ホース（３）を収納する容積を備えるとともに、街頭に既設の消防ホース格納箱（２１）に格納できるようにし、収納部（２）の前面に、左右の側板（２ａ）を前端にて内側に折り曲げた部分により左右一対のホース押え（４）を設け、収納部（２）の上面に、消防ホース（３）の折畳んだ両端折曲部を上方から押える左右２本の棒状の押え部材（１１，１２）を固定し、一方の押え部材（１２）を略Ｌ字形に形成し、この押え部材（１２）により収納部（２）の内側に消防ノズル（１３）の立掛け部（１４）を設け、収納部（２）の下部に車輪（５）を設け、収納部（２）の上部にハンドル（１０）を設けてなる消防ホースキャリヤ。
［２］消防ホース（３）を折畳んで収納する収納部（２）を薄板材により左右の側板（２ａ）と底板（２ｂ）と背板（２ｃ）とからなり前面が開いた薄箱形に形成して、前後２列に折畳んだ消防ホース（３）を収納する容積を備えるとともに、街頭に既設の消防ホース格納箱（２１）に格納できるようにし、収納部（２）の前面に、左右の側板（２ａ）を前端にて内側に折り曲げた部分により左右一対のホース押え（４）を設け、底板（２ｂ）の上面に、左右一対のホース押え（４）の間に延びて消防ホース（３）の折畳んだ下端を前方から係止する棒状の係止部材（８）を固着し、収納部（２）の下部に車輪（５）を設け、収納部（２）の上部にハンドル（１０）を設けてなる消防ホースキャリヤ。
［３］消防ホース（３）を折畳んで収納する収納部（２）を薄板材により左右の側板（２ａ）と底板（２ｂ）と背板（２ｃ）とからなり前面が開いた薄箱形に形成して、前後２列に折畳んだ消防ホース（３）を収納する容積を備えるとともに、街頭に既設の消防ホース格納箱（２１）に格納できるようにし、収納部（２）の前面に、左右の側板（２ａ）を前端にて内側に折り曲げた部分により左右一対のホース押え（４）を設け、収納部（２）の下部に車輪（５）を設け、収納部（２）の上部にハンドル（１０）を設け、車輪（６）の前方において、底板（２ｂ）の中央部下面に消防ホースキャリヤ（１）を起立姿勢に保持する脚片（７）を下方へ突設し、脚片（７）に弾性的に伸縮自在なゴムバンドからなる補助ホース押え（１５）を結着し、補助ホース押え（１５）の上端をハンドル（１０）に掛止し、この補助ホース押え（１５）により左右のホース押え（４）の間で消防ホース（３）を押えられるようにしてなる消防ホースキャリヤ。
［４］収納部（２）の左右の側板（２ａ）に二つの把手（１６）を設け、収納部（２）の背面に背負ベルト（２８）を設け、収納部（２）の左右両側面に二つの肩掛ベルト（２７）を設けた上記［１］［２］又は［３］の消防ホースキャリヤ。
［５］底板（２ｂ）の左右両端部に水抜き孔（９）を形成した上記［１］［２］［３］又は［４］の消防ホースキャリヤ。
【０００８】
ここで、薄板材としては、曲げ加工できる金属薄板、成形された樹脂薄板材（繊維強化されたものも含む。）等を例示できる。収納部の前面を開いた箱形にするのは、その開いたところから消防ホースを連続的に繰り出せるようにするためである。また、本発明の消防ホースキャリヤが、以上の特徴的手段を備える目的は次のとおりである。
【０００９】
▲１▼  長い消防ホースを収納するために、収納部が前後２列に折畳んだ消防ホースを収納する容積を備える。
▲２▼  消防ノズルを消防ホースに接続した状態で収納できるように、収納部の内側に消防ノズルの立掛け部が設けられる。
▲３▼  消防ホース延長時の荷崩れを防止するために、左右のホース押えの間に伸縮自在な補助ホース押えが設けられる。
▲４▼  キャリヤを未舗装道路、雪道、田畑、山林等の悪路で背負って運搬できるように、収納部の背面に背負ベルトが設けられる。
▲５▼  同じく、キャリヤを悪路で二人の肩に担いで運搬できるように、収納部の左右両側面に肩掛ベルトが設けられる。
【００１０】
【発明の実施の形態】
以下、本発明の実施の形態を図面に基づいて説明する。図１〜図３に示すように、この消防ホースキャリヤ１の収納部２は、金属薄板により前面及び上面が開いた薄箱形に形成され、例えば、長さ２０ｍの消防ホースが予め３本接続された消防ホース３を前後２列に折畳んで収納できる容積を備えている。収納部２の左右の側板２ａは前端にて内側に折り曲げられ、この部分により、収納部２の前面に消防ホース３の両端折曲部を押える左右一対のホース押え４が設けられている。収納部２の上面を開いた状態にするのは、その開いたところから消防ホースを収納しやすくするためと、後述する消防ノズル１３を立掛けるためである。
【００１１】
収納部２の下部において、底板２ｂの下面には車軸５が取り付けられ、車軸５の両端には車輪６が側板２ａより突出する状態で支持されている。車輪６の前方において、底板２ｂの中央部下面には消防ホースキャリヤ１を起立姿勢に保持する脚片７が突設されている。底板２ｂの上面には、前列の消防ホース３の下端を前方から係止する棒状の係止部材８が固着されている。また、底板２ｂの左右両端部には水抜き孔９が形成されている（図３参照）。
【００１２】
収納部２の上部において、背板２ｃの背面には消防ホースキャリヤ１を手で牽引するためのハンドル１０が固着されている。収納部２の上面には、消防ホース３の両端折曲部を上方から押える左右２本の棒状の押え部材１１，１２が固定されている。一方の押え部材１２は略Ｌ字形に形成され、この押え部材１２により収納部２の内側に消防ノズル１３の立掛け部１４が設けられている。
【００１３】
脚片７には弾性的に伸縮自在なゴムバンドからなる補助ホース押え１５が結着され、必要に応じ、その上端をハンドル１０に掛止し、左右のホース押え４の間で消防ホース３を押えて、消防ホース延長時の荷崩れを防止できるようになっている。なお、収納部２の左右の側板２ａには、消防ホースキャリヤ１を持ち上げるための把手１６が設けられている。また、背板２ｃには、軽量化を図り、かつ通気を確保するための透孔１７が形成されている。
【００１４】
上記のように構成された消防ホースキャリヤ１は、図４及び図５に示すように、街頭に設置された消防ホース格納箱２１に格納される。この場合、収納部２が薄板材により薄箱形に形成されているため、消防ホースキャリヤ１の全体をコンパクトに構成できて、これを既設の消防ホース格納箱２１に地中栓開閉ハンドル２２やスタンドパイプ２３等の他の器具と共に余裕を持って格納することができる。なお、消防ホースキャリヤ１をスムーズに出し入りできるように、消防ホース格納箱２１をスロープ付ブロック２９の上に載せるのが好ましい。
【００１５】
消火作業に際しては、消防ホースキャリヤ１を消防ホース格納箱２１から引き出し、図６に示すように、近くの消火栓２４まで運搬し、消防ホース３の基端接続金具２５（図１に示すように、収納部２の前列上部に収納されている）を消火栓２４に接続した後、消防ホースキャリヤ１を牽引して火災現場に向かう。このとき、補助ホース押え１５を使用すれば、収納部２における消防ホース３の荷崩れを確実に防止することができる。また、収納部２には数本の消防ホース３と消防ノズル１３とが予め接続された状態で収納されているため、消防ホースキャリヤ１を引いて走るだけで、全ての消防ホース３を収納部２の前面の開いたところから連続的に繰り出して容易に延長できるとともに、消防ノズル１３を接続する手間を省くこともできる。
【００１６】
なお、本発明は上記実施形態に限定されるものではなく、次に例示するように、本発明の趣旨を逸脱しない範囲で各部の形状、構成等を適宜変更して具体化することもできる。
【００１７】
▲１▼  図７に示すように、車輪６を収納部２の側板２ａよりも内側に設ける。こうすれば、消防ホースキャリヤ１の全体をより幅狭に構成できる。
▲２▼  図８に示すように、収納部２の背面に背負ベルト２８を設ける。こうすれば、未舗装道路、雪道、田畑、山林等の悪路で消防ホースキャリヤ１を背負って楽に運搬でき、消防ホース３を容易に延長できる。
▲３▼  図９に示すように、収納部２の側板２ａに肩掛ベルト２７を設ける。こうすれば、悪路で消防ホースキャリヤ１を二人の肩に担いで楽に運搬でき、消防ホース３を容易に延長できる。
▲４▼  収納部２を樹脂薄板材で形成して、錆を防止し、軽量化を図る。
▲５▼  棒材等で形成した２本のホース押えを収納部２の前面に立設する。
【００１８】
【発明の効果】
以上詳述したように、本発明の消防ホースキャリヤによれば、街頭等に既設の消防ホース格納箱に格納できるようコンパクトに形成でき、消防ホースを楽に運搬でき、かつ消防ホースを容易に延長できる、という優れた効果を奏する。
【図面の簡単な説明】
【図１】本発明の一実施形態の消防ホースキャリヤを示す斜視図である。
【図２】同キャリヤを空の状態で示す正面図である。
【図３】図２の平面図である。
【図４】同キャリヤの格納形態を示す正面図である。
【図５】同キャリヤの格納形態を示す側面図である。
【図６】同キャリヤの使用説明図である。
【図７】同キャリヤの変更例を示す正面図である。
【図８】同キャリヤの別の変更例を示す正面図である。
【図９】同キャリヤのさらに別の変更例を示す背面図である。
【図１０】従来の消防ホースの格納方法を示す正面図である。
【図１１】従来の消防自動車用の消防ホースキャリヤを示す斜視図である。
【符号の説明】
１    消防ホースキャリヤ
２    収納部
３    消防ホース
４    ホース押え
６    車輪
１０    ハンドル
１３    消防ノズル
１４    立掛け部
１５    補助ホース押え
２１    消防ホース格納箱
２７    肩掛ベルト
２８    背負ベルト
【図１】
0003803163.tif 000002
【図２】
0003803163.tif 000003
【図３】
0003803163.tif 000004
【図４】
0003803163.tif 000005
【図５】
0003803163.tif 000006
【図６】
0003803163.tif 000007
【図７】
0003803163.tif 000008
【図８】
0003803163.tif 000009
【図９】
0003803163.tif 000010
【図１０】
0003803163.tif 000011
【図１１】
0003803163.tif 000012